(57)【要約】【課題】ビーム整形素子を用いずに情報記録媒体上に楕円スポットを斜めに配置して、光学製品を小型化して、かつ良好な信号を得る。【解決手段】光学ユニットは、半導体レーザー１と、半導体レーザー１から出射した光束を反射するミラー面１７と、受光素子８とが同一基板１５上に実装している。この基板１５は、回折格子７及び受光素子８の面と平行な面に対して、異なる方向に傾斜した２つの面を備え、１つの面は、半導体レーザー１の出射する光束を回折格子７へと折り返すための４５度傾いたミラー面１７、もう１つの面は、半導体レーザー１を実装する光源実装面１６である。光源実装面１６を受光素子８に平行な面に対して所定の角度に傾斜させることで、半導体レーザー１の活性層をトラック方向に対して所定の角度に傾斜させ、情報記録媒体上に楕円スポットを斜めに配置できる。【選択図】図２
2006252588.tif 000002
【特許請求の範囲】
【請求項１】
情報記録媒体に向かう光束を出射する半導体レーザーと、前記情報記録媒体で反射した光束を複数の領域に分割する回折格子と、前記回折格子で回折した光束を検出するための受光素子とを一体に構成した光学ユニットにおいて、
前記半導体レーザーの活性層を前記回折格子上におけるトラック方向に対して所定の角度に傾斜して設け、前記回折格子の領域を分ける分割線の方向を前記回折格子上におけるトラック方向に対して平行または垂直に設けたことを特徴とする光学ユニット。
【請求項２】
前記半導体レーザーと、前記半導体レーザーから出射した光束を回折格子の方向へ反射するミラー面と、前記受光素子とを同一基板上に実装した光学ユニットにおいて、
前記基板上の前記半導体レーザーの実装面を、前記受光素子の実装面に対して所定の角度に傾斜して設けたことを特徴とする請求項１記載の光学ユニット。
【請求項３】
前記半導体レーザーと、前記半導体レーザーから出射した光束を回折格子の方向へ反射するミラー面と、前記受光素子とを同一基板上に実装した光学ユニットにおいて、
前記ミラー面を、前記半導体レーザーから前記ミラー面に向かう光束の入射面が前記回折格子上におけるトラック方向に対して所定の角度に傾斜するように配置したことを特徴とする請求項１記載の光学ユニット。
【請求項４】
前記半導体レーザーと、前記受光素子を搭載した基板とを同一ヒートシンク上に実装した光学ユニットにおいて、
前記半導体レーザーを実装する前記ヒートシンクの実装面を、回折格子上におけるトラック方向に対して所定の角度に傾斜した前記ヒートシンクの側面としたことを特徴とする請求項１記載の光学ユニット。
【請求項５】
前記回折格子が、入射光の偏光方向に依存して１次より高次の回折光による回折効率が変化する偏光回折格子であって、
半導体レーザーと前記偏光回折格子の間に１／２波長板を設けたことを特徴とする請求項１記載の光学ユニット。
【請求項６】
前記１／２波長板を、偏光回折格子に一体的に積層していることを特徴とする請求項５記載の光学ユニット。
【請求項７】
請求項１〜６のいずれか１項に記載の光学ユニットと、前記半導体レーザーから出射した光束を前記情報記録媒体へ導くための立上ミラーと、前記情報記録媒体に向かう光束を前記情報記録媒体の記録面に集光するための対物レンズとを備え、
前記立上ミラーを、前記光学ユニットから前記立上ミラーに向かう光束と前記立上ミラーで反射し前記対物レンズへ向かう光束を含む入射面が前記情報記録媒体のトラック方向に対して所定の角度に傾斜するように配置したことを特徴とする光ピックアップ。
【請求項８】
請求項１〜６のいずれか１項に記載の光学ユニットと、前記光学ユニットの半導体レーザーから出射した光束を情報記録媒体へ導くための立上ミラーと、前記情報記録媒体に向かう光束を前記情報記録媒体の記録面に集光するための対物レンズとを備えたことを特徴とする光ピックアップ。
【請求項９】
請求項１〜６のいずれか１項に記載の第１の光学ユニットと、前記第１の光学ユニットの半導体レーザーから出射した光束を情報記録媒体へ導くための立上ミラーと、前記第１の光学ユニットと前記立上ミラーの間に配置した波長依存性のある光束分離手段と、前記半導体レーザーの波長とは異なる複数の半導体レーザー及び当該半導体レーザーから出射して前記情報記録媒体において反射した光束を検出する受光素子を有する第２の光学ユニットとを備えたことを特徴とする光ピックアップ。
【請求項１０】
請求項７〜９のいずれか１項に記載の光ピックアップを用いることを特徴とする光記録再生装置。
【発明の詳細な説明】
【技術分野】
【０００１】
本発明は、情報記録媒体に対してデータを記録または再生するための光学系を用いた情報処理に係り、さらに詳しくは、その光学系を小型化するための技術を用いた光学ユニット及び光ピックアップ並びに光記録再生装置に関するものである。
【背景技術】
【０００２】
従来の一般的な光ピックアップについて図９を用いて説明する。光ピックアップは、情報記録媒体５を再生する光束を出射する半導体レーザー１、半導体レーザー１の発散光束を略平行光束にするためのカップリングレンズ２、半導体レーザー１から情報記録媒体５へ向かう光束と情報記録媒体５で反射した光束を分離するための検出分離手段３、光束を情報記録媒体５に集光するための対物レンズ４、情報記録媒体５の信号層で反射した光束を受光素子８に集光するための検出レンズ６、情報記録媒体５と対物レンズ４のフォーカス方向，トラック方向の位置を一定に保つために必要なフォーカスエラー信号，トラックエラー信号を生成するための回折格子（ホログラム）７、情報記録媒体５の信号情報を得るための受光素子８を備えている。
【０００３】
また、対物レンズ４は、情報記録媒体５の信号層にスポットをフォーカスするために光軸方向に駆動できるアクチュエータに搭載されている。
【０００４】
半導体レーザー１を出射した光束は、カップリングレンズ２で略平行光束になり、検出分離手段３を透過し、対物レンズ４により情報記録媒体５の情報記録面に微小スポットを形成する。情報記録媒体５で反射した光束は、対物レンズ４で再び略平行光束になり、検出分離手段３で反射され、検出レンズ６で収束光束になり、回折格子（ホログラム）７によって光束を分岐し、受光素子８の受光面で検出される。
【０００５】
一般的に、半導体レーザー１から情報記録媒体５へ向かう往路の光学系のことを照明光学系と呼び、情報記録媒体５で反射した光束が受光素子８へ向かう復路の光学系のことを検出光学系と呼ぶ。
【０００６】
近年、光ピックアップを小型化する技術として、半導体レーザーと受光素子と各種信号を生成するために領域を分割された回折格子（ホログラム）を一体化した光学ユニットとしてホログラムユニットと呼ばれるものが登場した。ホログラムユニットについて図１０を用いて説明する。
【０００７】
ホログラムユニット９は、半導体レーザー１と受光素子８と、領域を分割された回折格子７からなる。光源として一般的に用いられる半導体レーザー１から出射した発散光は、回折格子７を透過し、光ピックアップに備えられたカップリングレンズ（図示せず）へ向かう。また、情報記録媒体で反射した光束は再びカップリングレンズを透過し、収束光束として回折格子７に入射する。回折格子７は入射光束に対して領域分割されており、各領域で分割し回折した光束を受光素子８で受光する。
【０００８】
最も一般的に知られているホログラムユニットについて簡単に説明する。図１１に示すように、回折格子７は３分割されており、データ記録方向に２分割した一方の領域ａｂで回折した光を２分割した受光素子（Ａ，Ｂ）で検出することでナイフエッジ法によるフォーカスエラー信号が得られる。また、残った他方の領域はトラック方向に２分割した領域ｃ，領域ｄの回折光をそれぞれ個別の受光素子（Ｃ，Ｄ）で検出することでトラックエラー信号が得られる。
【０００９】
また、データを記録する光ピックアップでは、光利用効率を高く設定する必要がある。このため、回折格子において光損失が少ない偏光ホログラムを用いる。偏光ホログラムは、半導体レーザーから出射した直線偏光（Ｐ）に対して、高効率に０次光を透過する。ホログラムユニットと情報記録媒体の間には、λ／４板を配置して円偏光に変え、情報記録媒体で反射した光束を再びλ／４板を介すことで、往路の直線偏光（Ｐ）に直交した直線偏光（Ｓ）を生成する。偏光ホログラムは、直線偏光（Ｓ）に対して高効率に回折する特性があるので往路，復路ともに高効率な光学系を実現できる。
【００１０】
光ピックアップやホログラムユニットに用いる光源として、前述したように半導体レーザーが一般的に用いられる。半導体レーザーの発光分布は非均等であり、半導体レーザーの接合面における活性層に平行な方向（θ//）と、これに垂直な方向（θ⊥）においての強度分布が異なっている。遠視野像の代表的な値は平行な方向（θ//）が１０°、垂直な方向（θ⊥）が３０°である。このような非等方な光束をカップリングレンズで略平行光束として、そのまま対物レンズで集光すると、形成されるスポットは楕円になる。
【００１１】
図１２に示すように、楕円スポット１２の長軸方向が情報記録媒体のトラック方向に向いていると、複数のトラック１３に光束が照射されるので、隣のトラック１３ａからの情報信号の洩れ込み（クロストーク）や隣のトラック１３ａへの書き込みなどの不具合を生じる。また、図１３に示すように、楕円スポット１２の長軸方向が情報記録媒体のデータ記録方向に向いていると、データ記録方向の分解能が低下して、良好な再生信号検出や、情報の書き込みができなくなる。
【００１２】
そこで、ビーム整形光学素子を用いて、対物レンズに入射する半導体レーザーの活性層に平行な方向の光束を拡大して、略円形なスポットを得る方策が試みられている。ビーム整形素子については、ビーム整形プリズムやアナモフィックレンズを用いた方式が従来から知られているが、ここでは説明を省略する。
【００１３】
また、良好な再生信号を得るためにビーム整形素子を挿入して、情報記録媒体上のスポット形状を円形にすると光学系が大きくなる。また、経時，温度変化といった環境変化による光軸ずれに伴う各種信号のオフセットが発生しやすくなる。
そこで、特許文献１，２，３に記載されるような情報記録媒体のトラックに対して楕円スポットを斜めに配置すること、また、特許文献４に記載された、ビーム整形素子を外して、情報記録媒体上のスポット形状が楕円スポットでも良好な再生信号を得るための方式として、半導体レーザーまたは立上ミラーを斜めに配置する方式がある。
【００１４】
図１４に示すように情報記録媒体上の楕円スポットは斜めに向き、トラック方向とデータ記録方向におけるスポット径は、楕円長軸方向のスポット径よりも小さくなる。これにより、隣のトラックからの情報信号の洩れ込み（クロストーク）が抑えられ、さらに、データ記録方向の分解能も確保できるようになり、良好な再生信号が得られる。このような光スポットを斜め配置するには、トラック方向に対して楕円長軸を好ましくは角度が１０°〜８０°傾斜、さらに好ましくは３０°〜６０°傾斜に設定するのが良い。
【特許文献１】特開昭６１−１９０７３１号公報
【特許文献２】特開平８−６３７７７号公報
【特許文献３】特開平９−１２８７８９号公報
【特許文献４】特開２０００−１６３８２１号公報
【発明の開示】
【発明が解決しようとする課題】
【００１５】
従来のホログラムユニットは、半導体レーザーの活性層が、トラック方向に対して平行（または垂直）に配置されており、回折格子の領域分割線の方向も、トラック方向に対して平行（または垂直）に配置されている。このため、スポットを斜めに配置するように、ホログラムユニットを傾けて使用すると、回折格子のトラック方向に２分割した領域ｃ，領域ｄが傾斜してしまい、トラックパターンが非対称に設定されて、トラックエラー信号にオフセットが生じるという不具合がある。
【００１６】
図１５は半導体レーザーを含むホログラムユニット９をトラック方向に対して斜めに配置した（ａ）は光学レイアウト、（ｂ）はホログラムユニットの回折格子７上の情報記録媒体で反射した光束断面を示し、図１６は立上ミラー１１の入射面をトラック方向に対して斜めに配置した（ａ）は光学レイアウト、（ｂ）はホログラムユニットの回折格子７上の情報記録媒体で反射した光束断面を示す図である。図１５（ａ），（ｂ）及び図１６（ａ），（ｂ）に示すどちらの光学レイアウトにおいても、情報記録媒体上のスポットは斜めに配置できるが、トラックパターンは、トラック方向に対する分割した領域ｃ，領域ｄに対して非対称に設定されている。
【００１７】
本発明は、前記従来技術の問題を解決することに指向するものであり、小型な光ピックアップを提供するために、詳しくは、光学ユニットであるホログラムユニットを用いた光ピックアップさらには光記録再生装置において、ビーム整形素子を用いることなく情報記録媒体上に楕円スポットを斜めに配置することによって、小型化して良好な信号を得ることのできる光学ユニット及び光ピックアップ並びに光記録再生装置を提供することを目的とする。
【課題を解決するための手段】
【００１８】
前記の目的を達成するために、本発明に係る請求項１に記載される光学ユニットは、情報記録媒体に向かう光束を出射する半導体レーザーと、情報記録媒体で反射した光束を複数の領域に分割する回折格子と、回折格子で回折した光束を検出するための受光素子とを一体に構成した光学ユニットにおいて、半導体レーザーの活性層を回折格子上におけるトラック方向に対して所定の角度に傾斜して設け、回折格子の領域を分ける分割線の方向を回折格子上におけるトラック方向に対して平行または垂直に設けたことにより、情報記録媒体のトラック上に楕円スポットの径が小さな状態で配置することができ、またトラックエラー信号に生じるオフセットをなくすことができる。
【００１９】
また、請求項２〜４に記載される光学ユニットは、請求項１の光学ユニットであって、半導体レーザーと、半導体レーザーから出射した光束を回折格子の方向へ反射するミラー面と、受光素子とを同一基板上に実装した光学ユニットにおいて、基板上の半導体レーザーの実装面を、受光素子の実装面に対して所定の角度に傾斜して設けたこと、または、半導体レーザーと、半導体レーザーから出射した光束を回折格子の方向へ反射するミラー面と、受光素子とを同一基板上に実装した光学ユニットにおいて、ミラー面を、半導体レーザーからミラー面に向かう光束の入射面が回折格子上におけるトラック方向に対して所定の角度に傾斜するように配置したこと、または、半導体レーザーと、受光素子を搭載した基板とを同一ヒートシンク上に実装した光学ユニットにおいて、半導体レーザーを実装するヒートシンクの実装面を、回折格子上におけるトラック方向に対して所定の角度に傾斜したヒートシンクの側面としたことにより、情報記録媒体のトラック上に楕円スポットの径が小さな状態で配置することができ、またトラックエラー信号に生じるオフセットをなくすことができる。
【００２０】
また、請求項５，６に記載される光学ユニットは、請求項１の光学ユニットにおける回折格子が、入射光の偏光方向に依存して１次より高次の回折光による回折効率が変化する偏光回折格子であって、半導体レーザーと偏光回折格子の間に１／２波長板を設けたこと、さらに、１／２波長板を、偏光回折格子に一体的に積層していることにより、偏光回折格子に入射する光束の偏光方向を制御して、回折効率を高効率に設定でき、また小型化することができる。
【００２１】
また、請求項７〜９に記載される光ピックアップは、請求項１〜６のいずれか１項に記載の光学ユニットと、半導体レーザーから出射した光束を情報記録媒体へ導くための立上ミラーと、情報記録媒体に向かう光束を情報記録媒体の記録面に集光するための対物レンズとを備え、立上ミラーを、光学ユニットから立上ミラーに向かう光束と立上ミラーで反射し対物レンズへ向かう光束を含む入射面が情報記録媒体のトラック方向に対して所定の角度に傾斜するように配置したこと、または、請求項１〜６のいずれか１項に記載の光学ユニットと、光学ユニットの半導体レーザーから出射した光束を情報記録媒体へ導くための立上ミラーと、情報記録媒体に向かう光束を情報記録媒体の記録面に集光するための対物レンズとを備えたこと、さらに、請求項１〜６のいずれか１項に記載の第１の光学ユニットと、第１の光学ユニットの半導体レーザーから出射した光束を情報記録媒体へ導くための立上ミラーと、第１の光学ユニットと立上ミラーの間に配置した波長依存性のある光束分離手段と、半導体レーザーの波長とは異なる複数の半導体レーザー及び当該半導体レーザーから出射して情報記録媒体において反射した光束を検出する受光素子を有する第２の光学ユニットとを備えたことにより、情報記録媒体上で隣のトラックからの情報信号の洩れ込み（クロストーク）を抑えるとともに、データ記録方向の分解能を確保して安定した記録，再生動作ができ、さらに、所定の光学ユニットの半導体レーザーに対してのみ、情報記録媒体にスポット径を小さくすることができる。
【００２２】
また、請求項１０に記載される光記録再生装置は、請求項７〜９のいずれか１項に記載の光ピックアップを用いることにより、隣のトラックからの洩れ込みを抑えるとともに、データ記録方向の分解能を確保して、トラック方向やデータ記録方向の密度が狭い情報記録媒体に対しても安定した記録，再生動作ができる。
【発明の効果】
【００２３】
本発明によれば、半導体レーザーの活性層をトラック方向に対して所定の角度に傾斜して情報記録媒体上のスポット径を小さくして、隣のトラックから信号の洩れ込みを抑えるとともにデータ記録方向の分解能も確保でき、かつ回折格子の領域分割線の方向をトラック方向に平行または垂直にして、トラックエラー信号のオフセットをなくすことができ、トラック方向やデータ記録方向の密度が狭い情報記録媒体に対して、安定した情報の記録，再生動作を行うことができるという効果を奏する。
【発明を実施するための最良の形態】
【００２４】
以下、図面を参照して本発明における実施の形態を詳細に説明する。
【００２５】
図１は本発明の実施の形態１における光学ユニットの概略構成を示す模式図である。ここで、前記従来例を示す図１１において説明した構成部材に対応し同等の機能を有するものには同一の符号を付して示す。
【００２６】
本実施の形態１における光学ユニットとしては、情報記録媒体に向かう光束を出射する半導体レーザー１と、情報記録媒体で反射した光束を複数の領域に分割する回折格子７と、回折格子７で回折した光束を検出するための受光素子８とが一体となったホログラムユニットが構成されている。
【００２７】
図１に示す回折格子７の面において、データ記録方向，トラック方向とは、光学ユニットから出射した光束が情報記録媒体へ投影したときの方向を示す。本実施の形態１において、半導体レーザー１の活性層は、回折格子７上におけるトラック方向に対して所定の角度（１０°〜８０°）に傾斜している。前述したように、半導体レーザー１から出射した光束は、活性層に垂直な方向の広がり角が、活性層に平行な方向の広がり角よりも広い。したがって、光学ユニットから出射した光束は、トラック方向に対しては所定の角度に傾斜した楕円光束になる。この光束を情報記録媒体に対して集光させた場合、データ記録方向に対して所定の角度に傾斜した楕円スポットになる。
【００２８】
この集光した楕円スポットは、トラック方向とデータ記録方向の断面に対するスポット径が、楕円長軸のスポット径よりも短いので、隣のトラックからの情報信号の洩れ込み（クロストーク）が抑えられ、さらに、データ記録方向の分解能も確保でき、良好な再生信号が得られる。さらに、回折格子７の領域を分ける分割線の方向は、回折格子７におけるトラック方向に対して平行または垂直に設定している。
【００２９】
さらに詳しく説明すると本実施の形態１では、回折格子７は、図１に示すように領域ａｂと領域ｃと領域ｄの３領域に分けられる。領域ａｂは、情報記録媒体で反射して戻ってきた光束を２分するように設定している。領域ａｂにより回折した光束は２分割した受光素子（Ａ，Ｂ）に集光して検出される。いま、対物レンズから出射した光束が情報記録媒体に集光した場合、情報記録媒体を反射した光束は、２分割した受光素子Ａと受光素子Ｂの間に集光されて、この受光素子の差分Ａ−Ｂは０になる。
【００３０】
一方、対物レンズが情報記録媒体に対して遠ざかった場合、回折格子７の領域ａｂで回折した光束は、２分割した受光素子Ａ，Ｂの手前で一度集光され、半円形に広がった光束が受光素子Ｂに入射される。すなわちＡ−Ｂ＜０になる。逆に、対物レンズが情報記録媒体に対して近づいた場合、回折格子７の領域ａｂで回折した光束は、２分割した受光素子Ａ，Ｂの後方で集光されるので、集光される前の半円形に広がった光束が受光素子Ａに入射される。すなわちＡ−Ｂ＞０になる。したがって、Ａ−Ｂを演算することで対物レンズが情報記録媒体に対してどこにフォーカスされているかを示す信号であるフォーカスエラー信号が得られる。
【００３１】
領域ｃと領域ｄは、トラック方向に対して光束を２分するように設定している。領域ｃと領域ｄで回折した光束を、受光素子Ｃと受光素子Ｄで検出する。情報記録媒体で反射した光束は、情報記録媒体のトラック方向に対する位置情報を含むトラックパターンが生成されることから、各受光素子の差分Ｃ−Ｄを演算することによって、情報記録媒体に集光されるスポットの位置情報であるトラックエラー信号が正確に得られる。
【００３２】
図２は本実施の形態１における実施例１の光学ユニットの概略構成を示す斜視図である。図２に示すように、半導体レーザー１の活性層を回折格子７上におけるトラック方向に対して所定の角度（１０°〜８０°）に傾斜するための実施例である。
【００３３】
本実施例１の光学ユニットは、半導体レーザー１と、半導体レーザー１から出射した光束を反射するミラー面１７と、受光素子８とが同一基板１５上に実装している。この基板１５は、回折格子７及び受光素子８の面と平行な面に対して、異なる方向に傾斜した２つの面を備えている。１つの面は、半導体レーザー１の出射する光束を回折格子７へと折り返すための４５度傾いたミラー面１７である。もう１つの面は、半導体レーザー１を実装する光源実装面１６である。この光源実装面１６を受光素子８に平行な面に対して所定の角度に傾斜させることで、半導体レーザー１の活性層をトラック方向に対して所定の角度に傾斜させることが可能になる。なお、この２つの面は基板１５と一体に加工することができる。
【００３４】
図３は本実施の形態１における実施例２の光学ユニットの概略構成を示す斜視図である。図３に示すように、半導体レーザー１の活性層を回折格子７上におけるトラック方向に対して所定の角度（１０°〜８０°）に傾斜するための実施例である。
【００３５】
本実施例２の光学ユニットは、半導体レーザー１と、半導体レーザー１から出射した光束を反射するミラー面１７と、受光素子８とが同一基板１５上に実装している。このミラー面１７は、入射面１７ａがトラック方向に対して所定の角度に傾斜している。これにより、半導体レーザー１の出射する光束を回折格子７へと折り返すと同時に、半導体レーザー１の活性層を回折格子７上におけるトラック方向に対して所定の角度に傾斜させることが可能になる。また、このミラー面１７は基板１５と一体に加工することができる。
【００３６】
図４は本実施の形態１における実施例３の光学ユニットの概略構成を示す斜視図である。図４に示すように、半導体レーザー１の活性層を回折格子７上におけるトラック方向に対して所定の角度（１０°〜８０°）に傾斜するための実施例である。
【００３７】
本実施例３の光学ユニットは、半導体レーザー１と、受光素子８を搭載した基板を同一ヒートシンク１８上に実装している。このヒートシンク１８は、受光素子８を搭載した基板を実装した面に対して側面の一部が、回折格子７上におけるトラック方向に対して所定の角度に傾斜している。その傾斜した側面の光源実装面１６に半導体レーザー１を実装することにより、半導体レーザー１の活性層をトラック方向に対して所定の角度に傾斜させることが可能になる。
【００３８】
本実施の形態１における実施例４の光学ユニットとして、回折格子が入射光の偏光方向に依存して回折効率が変化する偏光回折格子としたものであり、半導体レーザーと偏光回折格子の間に１／２波長板を具備している。
【００３９】
半導体レーザーから出射した光束は、半導体レーザーの活性層に平行な方向に主軸を持つ直線偏光である。この活性層を回折格子上におけるトラック方向に対して所定の角度に傾けた場合、所定の角度分を１／２波長板によって偏光方向を戻すことにより１次回折光以上の高次回折光による回折効率を高効率に利用することが可能になる。
【００４０】
さらに、本実施の形態１における実施例５として、前述した実施例４の１／２波長板を偏光回折格子に対して一体的に積層する。これによりホログラムユニットを小型化することが可能になる。
【００４１】
図５は本発明の実施の形態２における実施例１の光ピックアップの概略構成を示す模式図である。図５に示す光ピックアップは、情報記録媒体５に集光したスポットを斜めに傾けて配置する実施例である。この光ピックアップは、実施の形態１の実施例１〜５において説明したいずれか１つの光学ユニットのホログラムユニット９と、ホログラムユニット９から出射した光束を、情報記録媒体５へ導くための立上ミラー１１と、情報記録媒体５に向かう光束を、情報記録媒体５の記録面に集光するための対物レンズ４からなる。
【００４２】
図５に示す光ピックアップ基準面２０は、情報記録媒体５の記録面及び対物レンズ４の主平面に対して略平行であり、この面にホログラムユニット９と立上ミラー１１が備わっている。ホログラムユニット９の中の半導体レーザーの活性層は光ピックアップ基準面２０に対して略平行（もしくは略垂直）に備わっている。立上ミラー１１は、ホログラムユニット９から立上ミラー１１へ向かう光束と立上ミラー１１で反射し対物レンズ４へ向かう光束を含む入射面１１ａが、情報記録媒体５のトラック方向に対して所定の角度（１０°〜８０°）に傾斜するように設置されている。
【００４３】
これにより、楕円光束を情報記録媒体５のトラック方向に対して所定の角度に傾斜させることが可能になる。この光束を情報記録媒体５に対して集光させた場合、データ記録方向に対して所定の角度に傾斜した楕円スポットになる。この楕円スポットは、トラック方向とデータ記録方向の断面に対するスポット径が、楕円長軸のスポット径よりも短いので、隣のトラックからの情報信号の洩れ込み（クロストーク）が抑えられ、さらに、データ記録方向の分解能も確保でき、良好な再生信号が得られる。
【００４４】
また、ホログラムユニット９においては、図１に示すように半導体レーザー１の活性層は、回折格子７上におけるトラック方向に対して所定の角度（１０°〜８０°）に傾斜して設けられているため、回折格子７の分割線の方向は情報記録媒体５のトラック方向に対して平行または垂直に配置されることになる。
【００４５】
図６は本実施の形態２における実施例２における光ピックアップの概略構成を示す模式図である。図６に示す光ピックアップは、情報記録媒体５に集光したスポットを斜めに傾けて配置する実施例である。この光ピックアップは、実施の形態１の実施例１〜５において説明したいずれか１つのホログラムユニット９ａと、ホログラムユニット９ａから出射した光束を、情報記録媒体５へ導くための立上ミラー１１と、情報記録媒体５に向かう光束を、情報記録媒体５の記録面に集光するための対物レンズ４からなる。
【００４６】
図６に示す立上ミラー１１の入射面１１ａは、情報記録媒体５におけるトラック方向もしくはデータ記録方向に平行である。一方、ホログラムユニット９ａの中の半導体レーザーの活性層は、立上ミラー１１の入射面１１ａに対して所定の角度（１０°〜８０°）に傾斜している。これにより、楕円光束をトラック方向に対して所定の角度に傾斜させることが可能になる。この光束を情報記録媒体５に対して集光させた場合、データ記録方向に対して所定の角度に傾斜した楕円スポットになる。この楕円スポットは、トラック方向とデータ記録方向の断面に対するスポット径が、楕円長軸のスポット径よりも短いので、隣のトラックからの情報信号の洩れ込み（クロストーク）が抑えられ、さらに、データ記録方向の分解能も確保できる。
【００４７】
図７は本実施の形態２における実施例３における光ピックアップの概略構成を示す模式図である。図７に示す光ピックアップは、ＤＶＤやＣＤやＢlu-ray（またはＡＯＤ：Ａdvanced Ｏptical Ｄisc）など複数の規格の情報記録媒体に対応できる光ピックアップであり、特定の規格の半導体レーザーに対してスポットを斜め傾けて配置する実施例である。この光ピックアップは、実施の形態１の実施例１〜５において説明したいずれか１つのホログラムユニット９ａと、ホログラムユニット９ａから出射した光束を情報記録媒体５へ導くための立上ミラー１１と、情報記録媒体５に向かう光束を情報記録媒体５の記録面に集光するための対物レンズ４と、ホログラムユニット９ａと立上ミラー１１の間に配置した波長依存性のある光束分離手段２３と、ホログラムユニット９ａの半導体レーザーとは波長の異なる複数の半導体レーザー２１と、この半導体レーザー２１から出射した光束が情報記録媒体５で反射して戻った光束を検出するための受光素子２２を備えている。
【００４８】
なお、本実施の形態２における実施例３の説明では、ホログラムユニット９ａの半導体レーザーの波長とは異なる半導体レーザー２１を１つで説明しているが、これにより、複数の半導体レーザーが限定されるものではない。また、立上ミラー１１の入射面は、情報記録媒体５におけるトラック方向もしくはデータ記録方向に平行である。このため、ホログラムユニット９の半導体レーザーの波長とは異なる複数の半導体レーザー２１に対しては、従来の光ピックアップと同様に楕円長軸が、情報記録媒体５のトラック方向もしくはデータ記録方向に向いている。
【００４９】
一方、ホログラムユニット９ａの中の半導体レーザーの活性層は、立上ミラー１１の入射面１１ａに対して所定の角度（１０°〜８０°）に傾斜している。これにより、楕円光束をトラック方向に対して所定の角度に傾斜させることが可能である。この光束を情報記録媒体５に対して集光させた場合、データ記録方向に対して所定の角度に傾斜した楕円スポットになる。この楕円スポットは、トラック方向とデータ記録方向の断面に対するスポット径が、楕円長軸のスポット径よりも短いので、隣のトラックからの情報信号の洩れ込み（クロストーク）が抑えられ、さらに、データ記録方向の分解能も確保することができる。
【００５０】
図８は本発明の実施の形態３における光記録再生装置の概略構成を示すブロック図である。図８に示す光記録再生装置である光ディスクドライブにおいては、前述した実施の形態２の実施例１〜３において説明したいずれか１つの光ピックアップを用いる。
【００５１】
図８に示すように、光ピックアップ２５の受光素子の出力を信号処理回路２６で受けて、情報信号，サーボ信号を生成する。サーボ信号は、サーボコントローラ２７，サーボドライバ２８にフィードバックされて対物レンズのフォーカシング制御及びトラッキング制御が行われる。これにより、本実施の形態３の光ディスクドライブでは、トラック方向やデータ記録方向の密度が狭い情報記録媒体５に対して、安定した記録，再生動作を行うことが可能になる。
【産業上の利用可能性】
【００５２】
本発明に係る光学ユニット及び光ピックアップ並びに光記録再生装置によれば、半導体レーザーの活性層をトラック方向に対して所定の角度に傾斜して、情報記録媒体上のスポット径を小さくして、隣のトラックから信号の洩れ込みを抑えると共にデータ記録方向の分解能も確保でき、かつ回折格子の領域分割線の方向をトラック方向に平行または垂直にして、トラックエラー信号のオフセットをなくすことができ、トラック方向やデータ記録方向の密度が狭い情報記録媒体に対して、安定した情報の記録，再生動作を行うことができ、情報記録媒体に対してデータを記録または再生する情報処理、さらに光学系を小型化するための技術として有用である。
【図面の簡単な説明】
【００５３】
【図１】本発明の実施の形態１における光学ユニットの概略構成を示す模式図
【図２】本実施の形態１における実施例１の光学ユニットの概略構成を示す斜視図
【図３】本実施の形態１における実施例２の光学ユニットの概略構成を示す斜視図
【図４】本実施の形態１における実施例３の光学ユニットの概略構成を示す斜視図
【図５】本発明の実施の形態２における実施例１の光ピックアップの概略構成を示す模式図
【図６】本実施の形態２における実施例２における光ピックアップの概略構成を示す模式図
【図７】本実施の形態２における実施例３における光ピックアップの概略構成を示す模式図
【図８】本発明の実施の形態３における光記録再生装置の概略構成を示すブロック図
【図９】従来の光ピックアップにおける光学系の概略構成を示す図
【図１０】従来のホログラムユニットの概略を示す透過斜視図
【図１１】従来のホログラムユニットの概略構成を示す模式図
【図１２】情報記録媒体上のトラック方向に楕円スポットの長軸方向を配置した関係を示す図
【図１３】情報記録媒体上のトラック方向に楕円スポットの短軸方向を配置した関係を示す図
【図１４】情報記録媒体上に斜めに配置した楕円スポットを示す図
【図１５】ホログラムユニットをトラック方向に対して斜めに配置した（ａ）は光学レイアウト、（ｂ）はホログラムユニットの回折格子上の情報記録媒体で反射した光束断面を示す図
【図１６】立上ミラーの入射面をトラック方向に対して斜めに配置した（ａ）は光学レイアウト、（ｂ）はホログラムユニットの回折格子上の情報記録媒体で反射した光束断面を示す図
【符号の説明】
【００５４】
１，２１  半導体レーザー
２  カップリングレンズ
３  検出分離手段
４  対物レンズ
５  情報記録媒体
６  検出レンズ
７  回折格子
８，２２  受光素子
９，９ａ  ホログラムユニット
１１  立上ミラー
１１ａ，１７ａ  入射面
１２  楕円スポット
１３  トラック
１３ａ  隣のトラック
１５  基板
１６  光源実装面
１７  ミラー面
１８  ヒートシンク
２０  光ピックアップ基準面
２３  光束分離手段
【図１】
2006252588.tif 000003
【図２】
2006252588.tif 000004
【図３】
2006252588.tif 000005
【図４】
2006252588.tif 000006
【図５】
2006252588.tif 000007
【図６】
2006252588.tif 000008
【図７】
2006252588.tif 000009
【図８】
2006252588.tif 000010
【図９】
2006252588.tif 000011
【図１０】
2006252588.tif 000012
【図１１】
2006252588.tif 000013
【図１２】
2006252588.tif 000014
【図１３】
2006252588.tif 000015
【図１４】
2006252588.tif 000016
【図１５】
2006252588.tif 000017
【図１６】
2006252588.tif 000018